(57)【要約】【課題】隣接する無線ＬＡＮアクセスポイントを検出する。【解決手段】無線ＬＡＮコントローラ１０が、複数の無線ＬＡＮアクセスポイント２１、２２、２３、２４に接続されている。送信アクセスポイント指定部１２は、複数の無線ＬＡＮアクセスポイント２１、２２、２３、２４のうちの一つを、信号（例えば、ビーコンフレーム）を送信する送信無線ＬＡＮアクセスポイントに指定する。受信アクセスポイント指定部１４は、複数の無線ＬＡＮアクセスポイント２１、２２、２３、２４のうちの送信無線ＬＡＮアクセスポイント以外の全てを、信号の受信の待機を送信の時点に応じて開始する受信無線ＬＡＮアクセスポイントに指定する。受信無線ＬＡＮアクセスポイントは、信号を受信できた場合に、受信無線ＬＡＮアクセスポイントが送信無線ＬＡＮアクセスポイントと隣接していると判断する。【選択図】図２
2018037814.tif 000002
【特許請求の範囲】
【請求項１】
複数の無線ＬＡＮアクセスポイントに接続された無線ＬＡＮ制御装置であって、
前記複数の無線ＬＡＮアクセスポイントのうちの一つを、信号を送信する送信無線ＬＡＮアクセスポイントに指定する送信アクセスポイント指定部と、
前記複数の無線ＬＡＮアクセスポイントのうちの前記送信無線ＬＡＮアクセスポイント以外の全てを、前記信号の受信の待機を前記送信の時点に応じて開始する受信無線ＬＡＮアクセスポイントに指定する受信アクセスポイント指定部と、
を備え、
前記信号を受信できた場合に、前記受信無線ＬＡＮアクセスポイントが前記送信無線ＬＡＮアクセスポイントと隣接していると判断する、
無線ＬＡＮ制御装置。
【請求項２】
請求項１に記載の無線ＬＡＮ制御装置であって、
前記送信アクセスポイント指定部は、前記複数の無線ＬＡＮアクセスポイントの全てを、一つずつ前記送信無線ＬＡＮアクセスポイントに指定する、
無線ＬＡＮ制御装置。
【請求項３】
請求項１に記載の無線ＬＡＮ制御装置であって、
前記送信無線ＬＡＮアクセスポイントに、前記信号の送信を指示する送信指示部と、
前記受信無線ＬＡＮアクセスポイントに、前記信号の受信の待機を指示する受信待機指示部と、
を備えた無線ＬＡＮ制御装置。
【請求項４】
請求項１に記載の無線ＬＡＮ制御装置であって、
前記信号の受信の待機が、前記信号の送信と同時に開始する、
無線ＬＡＮ制御装置。
【請求項５】
請求項１に記載の無線ＬＡＮ制御装置であって、
前記信号の受信の待機が、前記受信無線ＬＡＮアクセスポイントによる前記信号の受信より前に開始する、
無線ＬＡＮ制御装置。
【請求項６】
請求項１に記載の無線ＬＡＮ制御装置であって、
前記信号の受信の待機は、前記受信無線ＬＡＮアクセスポイントが前記信号のチャネルを受信可能とすることである、
無線ＬＡＮ制御装置。
【請求項７】
請求項１に記載の無線ＬＡＮ制御装置であって、
前記信号は、ビーコンフレームである、
無線ＬＡＮ制御装置。
【請求項８】
信号を送信する送信無線ＬＡＮアクセスポイントと、
前記信号の受信の待機を前記送信の時点に応じて開始する受信無線ＬＡＮアクセスポイントと、
を備え、
前記信号を受信できた場合に、前記受信無線ＬＡＮアクセスポイントが前記送信無線ＬＡＮアクセスポイントと隣接していると判断する、
無線ＬＡＮ通信システム。
【発明の詳細な説明】
【技術分野】
【０００１】
本発明は、隣接する無線ＬＡＮ（Local Area Network）アクセスポイントの検出に関する。
【背景技術】
【０００２】
従来より、複数の無線ＬＡＮアクセスポイントを有する無線ＬＡＮが知られている。複数の無線ＬＡＮアクセスポイント（基地局）が互いに隣接している場合がある（特許文献１の要約を参照）。隣接する無線ＬＡＮアクセスポイントを検出することは、無線ＬＡＮの制御にとって有益である。
【先行技術文献】
【特許文献】
【０００３】
【特許文献１】特開２００８−２７１０１１号公報
【発明の概要】
【発明が解決しようとする課題】
【０００４】
しかしながら、上記のような従来技術によれば、どのようにして隣接する無線ＬＡＮアクセスポイントを検出するかは分からない。
【０００５】
そこで、本発明は、隣接する無線ＬＡＮアクセスポイントを検出することを課題とする。
【課題を解決するための手段】
【０００６】
本発明にかかる無線ＬＡＮ制御装置は、複数の無線ＬＡＮアクセスポイントに接続された無線ＬＡＮ制御装置であって、前記複数の無線ＬＡＮアクセスポイントのうちの一つを、信号を送信する送信無線ＬＡＮアクセスポイントに指定する送信アクセスポイント指定部と、前記複数の無線ＬＡＮアクセスポイントのうちの前記送信無線ＬＡＮアクセスポイント以外の全てを、前記信号の受信の待機を前記送信の時点に応じて開始する受信無線ＬＡＮアクセスポイントに指定する受信アクセスポイント指定部とを備え、前記信号を受信できた場合に、前記受信無線ＬＡＮアクセスポイントが前記送信無線ＬＡＮアクセスポイントと隣接していると判断するように構成される。
【０００７】
上記のように構成された無線ＬＡＮ制御装置は、複数の無線ＬＡＮアクセスポイントに接続されている。送信アクセスポイント指定部は、前記複数の無線ＬＡＮアクセスポイントのうちの一つを、信号を送信する送信無線ＬＡＮアクセスポイントに指定する。受信アクセスポイント指定部は、前記複数の無線ＬＡＮアクセスポイントのうちの前記送信無線ＬＡＮアクセスポイント以外の全てを、前記信号の受信の待機を前記送信の時点に応じて開始する受信無線ＬＡＮアクセスポイントに指定する。前記信号を受信できた場合に、前記受信無線ＬＡＮアクセスポイントが前記送信無線ＬＡＮアクセスポイントと隣接していると判断する。
【０００８】
なお、本発明にかかる無線ＬＡＮ制御装置は、前記送信アクセスポイント指定部は、前記複数の無線ＬＡＮアクセスポイントの全てを、一つずつ前記送信無線ＬＡＮアクセスポイントに指定するようにしてもよい。
【０００９】
なお、本発明にかかる無線ＬＡＮ制御装置は、前記送信無線ＬＡＮアクセスポイントに、前記信号の送信を指示する送信指示部と、前記受信無線ＬＡＮアクセスポイントに、前記信号の受信の待機を指示する受信待機指示部とを備えるようにしてもよい。
【００１０】
なお、本発明にかかる無線ＬＡＮ制御装置は、前記信号の受信の待機が、前記信号の送信と同時に開始するようにしてもよい。
【００１１】
なお、本発明にかかる無線ＬＡＮ制御装置は、前記信号の受信の待機が、前記受信無線ＬＡＮアクセスポイントによる前記信号の受信より前に開始するようにしてもよい。
【００１２】
なお、本発明にかかる無線ＬＡＮ制御装置は、前記信号の受信の待機は、前記受信無線ＬＡＮアクセスポイントが前記信号のチャネルを受信可能とすることであるようにしてもよい。
【００１３】
なお、本発明にかかる無線ＬＡＮ制御装置は、前記信号は、ビーコンフレームであるようにしてもよい。
【００１４】
本発明にかかる無線ＬＡＮ通信システムは、信号を送信する送信無線ＬＡＮアクセスポイントと、前記信号の受信の待機を前記送信の時点に応じて開始する受信無線ＬＡＮアクセスポイントとを備え、前記信号を受信できた場合に、前記受信無線ＬＡＮアクセスポイントが前記送信無線ＬＡＮアクセスポイントと隣接していると判断するように構成される。
【００１５】
本発明にかかる無線ＬＡＮ通信システムによれば、送信無線ＬＡＮアクセスポイントが、信号を送信する。受信無線ＬＡＮアクセスポイントが、前記信号の受信の待機を前記送信の時点に応じて開始する。前記信号を受信できた場合に、前記受信無線ＬＡＮアクセスポイントが前記送信無線ＬＡＮアクセスポイントと隣接していると判断する。
【００１６】
本発明は、複数の無線ＬＡＮアクセスポイントに接続された無線ＬＡＮを制御する無線ＬＡＮ制御方法であって、前記複数の無線ＬＡＮアクセスポイントのうちの一つを、信号を送信する送信無線ＬＡＮアクセスポイントに指定する送信アクセスポイント指定工程と、前記複数の無線ＬＡＮアクセスポイントのうちの前記送信無線ＬＡＮアクセスポイント以外の全てを、前記信号の受信の待機を前記送信の時点に応じて開始する受信無線ＬＡＮアクセスポイントに指定する受信アクセスポイント指定工程とを備え、前記信号を受信できた場合に、前記受信無線ＬＡＮアクセスポイントが前記送信無線ＬＡＮアクセスポイントと隣接していると判断する。
【図面の簡単な説明】
【００１７】
【図１】本発明の実施形態にかかる無線ＬＡＮシステムの構成を示す図である。
【図２】本発明の実施形態にかかる無線ＬＡＮコントローラ（無線ＬＡＮ制御装置）１０の構成を示す機能ブロック図である。
【図３】本発明の実施形態にかかる無線ＬＡＮシステムの動作を示すフローチャートである。
【図４】本発明の実施形態にかかる無線ＬＡＮアクセスポイント２１、２２、２３、２４の動作を示すタイミングチャートである。
【図５】無線ＬＡＮアクセスポイント２１が送信無線ＬＡＮアクセスポイントである場合の動作を示す図である。
【図６】無線ＬＡＮアクセスポイント２２が送信無線ＬＡＮアクセスポイントである場合の動作を示す図である。
【図７】無線ＬＡＮアクセスポイント２３が送信無線ＬＡＮアクセスポイントである場合の動作を示す図である。
【図８】無線ＬＡＮアクセスポイント２４が送信無線ＬＡＮアクセスポイントである場合の動作を示す図である。
【発明を実施するための形態】
【００１８】
以下、本発明の実施形態を図面を参照しながら説明する。
【００１９】
図１は、本発明の実施形態にかかる無線ＬＡＮシステムの構成を示す図である。
【００２０】
本発明の実施形態にかかる無線ＬＡＮシステムは、無線ＬＡＮコントローラ１０および無線ＬＡＮアクセスポイント２１、２２、２３、２４を備える。なお、図面においては、「無線ＬＡＮ」の表記を省略し、コントローラ１０およびアクセスポイント２１、２２、２３、２４と表記する。
【００２１】
無線ＬＡＮコントローラ（無線ＬＡＮ制御装置）１０は、無線ＬＡＮアクセスポイント２１、２２、２３、２４にＬＡＮケーブルにより接続されている。無線ＬＡＮコントローラ１０は、無線ＬＡＮアクセスポイント２１、２２、２３、２４と有線通信を行う。
【００２２】
無線ＬＡＮアクセスポイント２１、２２、２３、２４は、各々が、別々のチャネルの信号を送受信している。これにより、各々の無線ＬＡＮアクセスポイント２１、２２、２３どうしの無線空間の混雑を回避するようにしている。例えば、無線ＬＡＮアクセスポイント２１は、３６ｃｈの信号を送受信している。無線ＬＡＮアクセスポイント２２は、４０ｃｈの信号を送受信している。無線ＬＡＮアクセスポイント２３は、４４ｃｈの信号を送受信している。無線ＬＡＮアクセスポイント２４は、４８ｃｈの信号を送受信している。
【００２３】
なお、無線ＬＡＮアクセスポイント２４が、無線ＬＡＮアクセスポイント２１、２２および２３に隣接しているものとする。ただし、無線ＬＡＮアクセスポイント２１、２２および２３は、互いに遠く離れており、隣接していないものとする。
【００２４】
無線ＬＡＮアクセスポイント２１、２２、２３、２４のうちの一つが、信号（例えば、ビーコンフレームである）を送信する送信無線ＬＡＮアクセスポイントとなる。無線ＬＡＮアクセスポイント２１、２２、２３、２４のうちの、送信無線ＬＡＮアクセスポイント以外の全てが受信無線ＬＡＮアクセスポイントとなる。
【００２５】
受信無線ＬＡＮアクセスポイントは、信号の受信の待機を送信の時点に応じて（例えば、送信と同時に）開始する。なお、信号の受信の待機は、受信無線ＬＡＮアクセスポイントが、送信無線ＬＡＮアクセスポイントが送信する信号のチャネルを受信可能とすることである（例えば、ＲＦスキャンを行う）。
【００２６】
受信無線ＬＡＮアクセスポイントが送信無線ＬＡＮアクセスポイントからの信号を受信できた場合に、受信無線ＬＡＮアクセスポイントは、受信無線ＬＡＮアクセスポイントが送信無線ＬＡＮアクセスポイントと隣接していると判断する。
【００２７】
図５は、無線ＬＡＮアクセスポイント２１が送信無線ＬＡＮアクセスポイントである場合の動作を示す図である。
【００２８】
図５を参照して、無線ＬＡＮアクセスポイント２１が送信無線ＬＡＮアクセスポイントである場合は、無線ＬＡＮアクセスポイント２２、２３および２４が、受信無線ＬＡＮアクセスポイントとなる。信号の受信の待機は、受信無線ＬＡＮアクセスポイント２２、２３および２４が、送信無線ＬＡＮアクセスポイント２１が送信する信号のチャネル３６ｃｈを受信可能とすることである。受信無線ＬＡＮアクセスポイント２４が送信無線ＬＡＮアクセスポイント２１からの信号を受信できるので、受信無線ＬＡＮアクセスポイント２４が送信無線ＬＡＮアクセスポイント２１と隣接していると判断する。
【００２９】
図６は、無線ＬＡＮアクセスポイント２２が送信無線ＬＡＮアクセスポイントである場合の動作を示す図である。
【００３０】
図６を参照して、無線ＬＡＮアクセスポイント２２が送信無線ＬＡＮアクセスポイントである場合は、無線ＬＡＮアクセスポイント２１、２３および２４が、受信無線ＬＡＮアクセスポイントとなる。信号の受信の待機は、受信無線ＬＡＮアクセスポイント２１、２３および２４が、送信無線ＬＡＮアクセスポイント２２が送信する信号のチャネル４０ｃｈを受信可能とすることである。受信無線ＬＡＮアクセスポイント２４が送信無線ＬＡＮアクセスポイント２２からの信号を受信できるので、受信無線ＬＡＮアクセスポイント２４が送信無線ＬＡＮアクセスポイント２２と隣接していると判断する。
【００３１】
図７は、無線ＬＡＮアクセスポイント２３が送信無線ＬＡＮアクセスポイントである場合の動作を示す図である。
【００３２】
図７を参照して、無線ＬＡＮアクセスポイント２３が送信無線ＬＡＮアクセスポイントである場合は、無線ＬＡＮアクセスポイント２１、２２および２４が、受信無線ＬＡＮアクセスポイントとなる。信号の受信の待機は、受信無線ＬＡＮアクセスポイント２１、２２および２４が、送信無線ＬＡＮアクセスポイント２３が送信する信号のチャネル４４ｃｈを受信可能とすることである。受信無線ＬＡＮアクセスポイント２４が送信無線ＬＡＮアクセスポイント２３からの信号を受信できるので、受信無線ＬＡＮアクセスポイント２４が送信無線ＬＡＮアクセスポイント２３と隣接していると判断する。
【００３３】
図８は、無線ＬＡＮアクセスポイント２４が送信無線ＬＡＮアクセスポイントである場合の動作を示す図である。
【００３４】
図８を参照して、無線ＬＡＮアクセスポイント２４が送信無線ＬＡＮアクセスポイントである場合は、無線ＬＡＮアクセスポイント２１、２２および２３が、受信無線ＬＡＮアクセスポイントとなる。信号の受信の待機は、受信無線ＬＡＮアクセスポイント２１、２２および２３が、送信無線ＬＡＮアクセスポイント２４が送信する信号のチャネル４８ｃｈを受信可能とすることである。受信無線ＬＡＮアクセスポイント２１、２２および２３が送信無線ＬＡＮアクセスポイント２４からの信号を受信できるので、受信無線ＬＡＮアクセスポイント２１、２２および２３が送信無線ＬＡＮアクセスポイント２４と隣接していると判断する。
【００３５】
図２は、本発明の実施形態にかかる無線ＬＡＮコントローラ（無線ＬＡＮ制御装置）１０の構成を示す機能ブロック図である。本発明の実施形態にかかる無線ＬＡＮコントローラ（無線ＬＡＮ制御装置）１０は、タイミング指定部１１、送信指示部１３、受信待機指示部１５、送信アクセスポイント指定部１２、受信アクセスポイント指定部１４を備える。
【００３６】
タイミング指定部１１は、送信無線ＬＡＮアクセスポイントによる信号（例えば、ビーコンフレームである）の送信および受信無線ＬＡＮアクセスポイントによる信号の受信の待機開始の時点であるタイミングを指定し、送信指示部１３および受信待機指示部１５に与える。
【００３７】
送信アクセスポイント指定部１２は、無線ＬＡＮアクセスポイント２１、２２、２３、２４のうちの一つを送信無線ＬＡＮアクセスポイントに指定する。送信アクセスポイント指定部１２は、無線ＬＡＮアクセスポイント２１、２２、２３、２４の全てを、一つずつ送信無線ＬＡＮアクセスポイントに指定する。例えば、送信アクセスポイント指定部１２は、無線ＬＡＮアクセスポイント２１、２２、２３、２４の順に、送信無線ＬＡＮアクセスポイントに指定する。送信アクセスポイント指定部１２は、どの無線ＬＡＮアクセスポイントを送信無線ＬＡＮアクセスポイントに指定したかを、送信指示部１３および受信アクセスポイント指定部１４に与える。
【００３８】
受信アクセスポイント指定部１４は、送信アクセスポイント指定部１２から、どの無線ＬＡＮアクセスポイントを送信無線ＬＡＮアクセスポイントに指定したかを受け、送信無線ＬＡＮアクセスポイントに指定されたもの以外の無線ＬＡＮアクセスポイント２１、２２、２３、２４全てを受信無線ＬＡＮアクセスポイントに指定する。受信アクセスポイント指定部１４は、どの無線ＬＡＮアクセスポイントを受信無線ＬＡＮアクセスポイントに指定したかを、受信待機指示部１５に与える。
【００３９】
送信指示部１３は、送信アクセスポイント指定部１２から、どの無線ＬＡＮアクセスポイントを送信無線ＬＡＮアクセスポイントに指定したかを受け、指定された送信無線ＬＡＮアクセスポイントに、信号（例えば、ビーコンフレームである）の送信を指示する。なお、この指示にはタイミングを含めており、送信無線ＬＡＮアクセスポイントは、このタイミングの時点で信号の送信を行う。
【００４０】
受信待機指示部１５は、受信アクセスポイント指定部１４から、どの無線ＬＡＮアクセスポイントを受信無線ＬＡＮアクセスポイントに指定したかを受け、受信無線ＬＡＮアクセスポイントに、信号の受信の待機を指示する。なお、この指示にはタイミングを含めており、受信無線ＬＡＮアクセスポイントは、このタイミングの時点で信号の受信の待機を開始する。また、この指示には、送信無線ＬＡＮアクセスポイントが信号を送信するために使用するチャネルを含めてもよい。
【００４１】
次に、本発明の実施形態の動作を説明する。
【００４２】
図３は、本発明の実施形態にかかる無線ＬＡＮシステムの動作を示すフローチャートである。なお、図３においては、無線ＬＡＮコントローラ１０、送信無線ＬＡＮアクセスポイント、受信無線ＬＡＮアクセスポイントに分けて動作を図示している。
【００４３】
図４は、本発明の実施形態にかかる無線ＬＡＮアクセスポイント２１、２２、２３、２４の動作を示すタイミングチャートである。
【００４４】
無線ＬＡＮコントローラ１０の送信アクセスポイント指定部１２は、信号（例えば、ビーコンフレームである）を送信していない無線ＬＡＮアクセスポイントがあるか否かを判定する（Ｓ１０）。もし、全ての無線ＬＡＮアクセスポイント２１、２２、２３、２４が、信号を送信していたら（Ｓ１０、Ｎｏ）、処理を終了する。
【００４５】
もし、未だ信号を送信していない無線ＬＡＮアクセスポイントがあれば（Ｓ１０、Ｙｅｓ）、送信アクセスポイント指定部１２は、未だ信号を送信していない無線ＬＡＮアクセスポイントのうちのいずれか一つを、送信無線ＬＡＮアクセスポイントに指定する（Ｓ１２）。
【００４６】
次に、送信指示部１３が、送信アクセスポイント指定部１２から、どの無線ＬＡＮアクセスポイントを送信無線ＬＡＮアクセスポイントに指定したかを受け、指定された送信無線ＬＡＮアクセスポイントに、信号の送信を指示する（Ｓ１４）。送信無線ＬＡＮアクセスポイントは、送信指示（Ｓ１４）を無線ＬＡＮコントローラ１０から、有線通信により受信する（Ｓ２０）。送信指示（Ｓ１４）と指示受信（Ｓ２０）とはほぼ同時である。
【００４７】
なお、送信指示（Ｓ１４）には、タイミング指定部１１により指定されたタイミング（すなわち、信号の送信の時点）が含まれている。
【００４８】
受信アクセスポイント指定部１４は、送信アクセスポイント指定部１２から、どの無線ＬＡＮアクセスポイントを送信無線ＬＡＮアクセスポイントに指定したかを受け、それ以外の無線ＬＡＮアクセスポイント２１、２２、２３、２４全てを受信無線ＬＡＮアクセスポイントに指定する。
【００４９】
その後、無線ＬＡＮコントローラ１０の受信待機指示部１５が、受信アクセスポイント指定部１４から、どの無線ＬＡＮアクセスポイントを受信無線ＬＡＮアクセスポイントに指定したかを受け、受信無線ＬＡＮアクセスポイントに、信号の受信の待機を指示する（Ｓ１６）。受信無線ＬＡＮアクセスポイントは、受信待機指示（Ｓ１６）を無線ＬＡＮコントローラ１０から、有線通信により受信する（Ｓ３０）。受信待機指示（Ｓ１６）と指示受信（Ｓ３０）とはほぼ同時である。
【００５０】
なお、受信待機指示（Ｓ１６）には、タイミング指定部１１により指定されたタイミング（すなわち、信号の受信の待機開始の時点）が含まれている。
【００５１】
受信待機指示（Ｓ１６）の後、無線ＬＡＮコントローラ１０は、信号を送信していない無線ＬＡＮアクセスポイントがあるか否かの判定（Ｓ１０）に戻る。
【００５２】
送信無線ＬＡＮアクセスポイントは、指定されたタイミングに、信号を送信する（Ｓ２２）。それと同時に、受信無線ＬＡＮアクセスポイントは、信号の受信の待機を開始し（Ｓ３２）、やがて、信号を受信する（Ｓ３４）。受信無線ＬＡＮアクセスポイントは、信号を受信すると、受信無線ＬＡＮアクセスポイントが送信無線ＬＡＮアクセスポイントと隣接していると判断する。
【００５３】
ただし、受信無線ＬＡＮアクセスポイントが送信無線ＬＡＮアクセスポイントと隣接していなければ信号を受信できない。これに対処するためには、信号の受信の待機を開始してから所定時間経過しても信号を受信できなければ、受信待機を解除するようにすればよい。
【００５４】
例えば、図１に示す構成において、無線ＬＡＮアクセスポイント２１、２２、２３、２４のいずれもが、信号（例えば、ビーコンフレームである）を送信していないとする（Ｓ１０、Ｙｅｓ）。このとき、送信アクセスポイント指定部１２は、例えば、無線ＬＡＮアクセスポイント２１を送信無線ＬＡＮアクセスポイントに指定する（Ｓ１２）（図５参照）。受信アクセスポイント指定部１４は、無線ＬＡＮアクセスポイント２１以外の無線ＬＡＮアクセスポイント２２、２３、２４を受信無線ＬＡＮアクセスポイントに指定する。
【００５５】
送信指示部１３は、送信無線ＬＡＮアクセスポイント２１に信号の送信を指示し（Ｓ１４）、送信無線ＬＡＮアクセスポイント２１は指示を受信する（Ｓ２０）。なお、送信指示（Ｓ１４）には、タイミング指定部１１により指定されたタイミング（すなわち、信号の送信の時点）が含まれている。
【００５６】
受信待機指示部１５は、受信無線ＬＡＮアクセスポイント２２、２３、２４に信号の受信の待機を指示し（Ｓ１６）、受信無線ＬＡＮアクセスポイント２２、２３、２４は指示を受信する（Ｓ３０）。なお、受信待機指示（Ｓ１４）には、タイミング指定部１１により指定されたタイミング（すなわち、信号の受信の待機開始の時点）が含まれている。
【００５７】
図４および図５を参照して、指定されたタイミングが到来すると、送信無線ＬＡＮアクセスポイント２１が３６ｃｈの信号を送信し（Ｓ２２）、受信無線ＬＡＮアクセスポイント２２、２３、２４が信号の受信の待機（Ｓ３２）を開始する。すなわち、受信無線ＬＡＮアクセスポイント２２、２３、２４は、３６ｃｈの信号を受信できるようにＲＦスキャンする。やがて、受信無線ＬＡＮアクセスポイント２４が、信号を受信し（Ｓ３４）、送信無線ＬＡＮアクセスポイント２１と隣接していると判断する。
【００５８】
ここで、受信無線ＬＡＮアクセスポイント２４が３６ｃｈを受信可能とする時間（通常運用の４８ｃｈを利用できない時間）は、送信無線ＬＡＮアクセスポイント２１による信号の送信（Ｓ２２）から受信無線ＬＡＮアクセスポイント２４による信号の受信（Ｓ３４）までの短い時間に限られるということに留意されたい（図４参照）。
【００５９】
次に、送信アクセスポイント指定部１２は、信号を送信していない無線ＬＡＮアクセスポイント２２、２３、２４（Ｓ１０、Ｙｅｓ）のうち、例えば、無線ＬＡＮアクセスポイント２２を送信無線ＬＡＮアクセスポイントに指定する（Ｓ１２）（図６参照）。受信アクセスポイント指定部１４は、無線ＬＡＮアクセスポイント２２以外の無線ＬＡＮアクセスポイント２１、２３、２４を受信無線ＬＡＮアクセスポイントに指定する。
【００６０】
送信指示部１３は、送信無線ＬＡＮアクセスポイント２２に信号の送信を指示し（Ｓ１４）、送信無線ＬＡＮアクセスポイント２２は指示を受信する（Ｓ２０）。なお、送信指示（Ｓ１４）には、タイミング指定部１１により指定されたタイミング（すなわち、信号の送信の時点）が含まれている。
【００６１】
受信待機指示部１５は、受信無線ＬＡＮアクセスポイント２１、２３、２４に信号の受信の待機を指示し（Ｓ１６）、受信無線ＬＡＮアクセスポイント２１、２３、２４は指示を受信する（Ｓ３０）。なお、受信待機指示（Ｓ１４）には、タイミング指定部１１により指定されたタイミング（すなわち、信号の受信の待機開始の時点）が含まれている。
【００６２】
図４および図６を参照して、指定されたタイミングが到来すると、送信無線ＬＡＮアクセスポイント２２が４０ｃｈの信号を送信し（Ｓ２２）、受信無線ＬＡＮアクセスポイント２１、２３、２４が信号の受信の待機（Ｓ３２）を開始する。すなわち、受信無線ＬＡＮアクセスポイント２１、２３、２４は、４０ｃｈの信号を受信できるようにＲＦスキャンする。やがて、受信無線ＬＡＮアクセスポイント２４が、信号を受信し（Ｓ３４）、送信無線ＬＡＮアクセスポイント２２と隣接していると判断する。
【００６３】
ここで、受信無線ＬＡＮアクセスポイント２４が４０ｃｈを受信可能とする時間（通常運用の４８ｃｈを利用できない時間）は、送信無線ＬＡＮアクセスポイント２２による信号の送信（Ｓ２２）から受信無線ＬＡＮアクセスポイント２４による信号の受信（Ｓ３４）までの短い時間に限られるということに留意されたい（図４参照）。
【００６４】
次に、送信アクセスポイント指定部１２は、信号を送信していない無線ＬＡＮアクセスポイント２３、２４（Ｓ１０、Ｙｅｓ）のうち、例えば、無線ＬＡＮアクセスポイント２３を送信無線ＬＡＮアクセスポイントに指定する（Ｓ１２）（図７参照）。受信アクセスポイント指定部１４は、無線ＬＡＮアクセスポイント２３以外の無線ＬＡＮアクセスポイント２１、２２、２４を受信無線ＬＡＮアクセスポイントに指定する。
【００６５】
送信指示部１３は、送信無線ＬＡＮアクセスポイント２３に信号の送信を指示し（Ｓ１４）、送信無線ＬＡＮアクセスポイント２３は指示を受信する（Ｓ２０）。なお、送信指示（Ｓ１４）には、タイミング指定部１１により指定されたタイミング（すなわち、信号の送信の時点）が含まれている。
【００６６】
受信待機指示部１５は、受信無線ＬＡＮアクセスポイント２１、２２、２４に信号の受信の待機を指示し（Ｓ１６）、受信無線ＬＡＮアクセスポイント２１、２２、２４は指示を受信する（Ｓ３０）。なお、受信待機指示（Ｓ１４）には、タイミング指定部１１により指定されたタイミング（すなわち、信号の受信の待機開始の時点）が含まれている。
【００６７】
図４および図７を参照して、指定されたタイミングが到来すると、送信無線ＬＡＮアクセスポイント２３が４４ｃｈの信号を送信し（Ｓ２２）、受信無線ＬＡＮアクセスポイント２１、２２、２４が信号の受信の待機（Ｓ３２）を開始する。すなわち、受信無線ＬＡＮアクセスポイント２１、２２、２４は、４４ｃｈの信号を受信できるようにＲＦスキャンする。やがて、受信無線ＬＡＮアクセスポイント２４が、信号を受信し（Ｓ３４）、送信無線ＬＡＮアクセスポイント２３と隣接していると判断する。
【００６８】
ここで、受信無線ＬＡＮアクセスポイント２４が４４ｃｈを受信可能とする時間（通常運用の４８ｃｈを利用できない時間）は、送信無線ＬＡＮアクセスポイント２３による信号の送信（Ｓ２２）から受信無線ＬＡＮアクセスポイント２４による信号の受信（Ｓ３４）までの短い時間に限られるということに留意されたい（図４参照）。
【００６９】
次に、送信アクセスポイント指定部１２は、信号を送信していない無線ＬＡＮアクセスポイント２４（Ｓ１０、Ｙｅｓ）を、送信無線ＬＡＮアクセスポイントに指定する（Ｓ１２）（図８参照）。受信アクセスポイント指定部１４は、無線ＬＡＮアクセスポイント２４以外の無線ＬＡＮアクセスポイント２１、２２、２３を受信無線ＬＡＮアクセスポイントに指定する。
【００７０】
送信指示部１３は、送信無線ＬＡＮアクセスポイント２４に信号の送信を指示し（Ｓ１４）、送信無線ＬＡＮアクセスポイント２４は指示を受信する（Ｓ２０）。なお、送信指示（Ｓ１４）には、タイミング指定部１１により指定されたタイミング（すなわち、信号の送信の時点）が含まれている。
【００７１】
受信待機指示部１５は、受信無線ＬＡＮアクセスポイント２１、２２、２３に信号の受信の待機を指示し（Ｓ１６）、受信無線ＬＡＮアクセスポイント２１、２２、２３は指示を受信する（Ｓ３０）。なお、受信待機指示（Ｓ１４）には、タイミング指定部１１により指定されたタイミング（すなわち、信号の受信の待機開始の時点）が含まれている。
【００７２】
図４および図８を参照して、指定されたタイミングが到来すると、送信無線ＬＡＮアクセスポイント２４が４８ｃｈの信号を送信し（Ｓ２２）、受信無線ＬＡＮアクセスポイント２１、２２、２３が信号の受信の待機（Ｓ３２）を開始する。すなわち、受信無線ＬＡＮアクセスポイント２１、２２、２３は、４８ｃｈの信号を受信できるようにＲＦスキャンする。やがて、受信無線ＬＡＮアクセスポイント２１、２２、２３が、信号を受信し（Ｓ３４）、送信無線ＬＡＮアクセスポイント２４と隣接していると判断する。
【００７３】
最後に、送信アクセスポイント指定部１２は、無線ＬＡＮコントローラ１０に接続された無線ＬＡＮアクセスポイント２１、２２、２３、２４の全てを、一つずつ送信無線ＬＡＮアクセスポイントに指定し終えたので（Ｓ１０、Ｎｏ）、処理を終了する。
【００７４】
本発明の実施形態によれば、受信無線ＬＡＮアクセスポイント２４に隣接する無線ＬＡＮアクセスポイント２１、２２および２３を検出できる。
【００７５】
しかも、本発明の実施形態によれば、受信無線ＬＡＮアクセスポイント２４は、送信無線ＬＡＮアクセスポイント２１、２２、２３による信号の送信（Ｓ２２）から受信無線ＬＡＮアクセスポイント２４による信号の受信（Ｓ３４）までのわずかな時間だけ、受信無線ＬＡＮアクセスポイント２４の通常使用している４８ｃｈが使用できないに過ぎない。よって、受信無線ＬＡＮアクセスポイント２４の運用にほとんど支障をきたさない。
【００７６】
なお、受信無線ＬＡＮアクセスポイントが、信号の受信の待機を、送信無線ＬＡＮアクセスポイントからの信号の送信の時点に応じて開始する（例えば、同時に開始）ことができるのであれば、タイミング指定部１１、送信指示部１３および受信待機指示部１５は無くてもかまわない。例えば、送信無線ＬＡＮアクセスポイントが信号の送信の時点を決定して、受信無線ＬＡＮアクセスポイントに知らせるようにしてもよい。または、受信無線ＬＡＮアクセスポイントが信号の受信の待機の開始時点を決定して、送信無線ＬＡＮアクセスポイントに知らせるようにしてもよい。
【００７７】
また、本発明の実施形態においては、信号の受信の待機を、信号の送信の時点と同時に開始していたが、必ずしも同時でなくてもよい。信号の受信の待機を、信号の送信の時点に応じて開始すればよい。
【００７８】
例えば、信号の受信の待機を、送信無線ＬＡＮアクセスポイントからの信号の送信の時点よりも後で、受信無線ＬＡＮアクセスポイントによる信号の受信よりも前に開始するようにしてもよい。
【００７９】
または、信号の受信の待機を、送信無線ＬＡＮアクセスポイントからの信号の送信の時点よりも少し前に開始するようにしてもよい。ただし、信号の送信よりもあまりにも前過ぎると、受信無線ＬＡＮアクセスポイントの通常の運用に支障をきたすので、信号の受信の待機をタイミングより「少し」前に開始するようにする。
【００８０】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分、例えば無線ＬＡＮコントローラ１０または無線ＬＡＮアクセスポイント２１、２２、２３、２４の各部分を実現するプログラムを記録したメディアを読み取らせて、ハードディスクにインストールする。このような方法でも、上記の機能を実現できる。
【符号の説明】
【００８１】
１０  無線ＬＡＮコントローラ（無線ＬＡＮ制御装置）
１１  タイミング指定部
１２  送信アクセスポイント指定部
１３  送信指示部
１４  受信アクセスポイント指定部
１５  受信待機指示部
２１、２２、２３、２４  無線ＬＡＮアクセスポイント
【図１】
2018037814.tif 000003
【図２】
2018037814.tif 000004
【図３】
2018037814.tif 000005
【図４】
2018037814.tif 000006
【図５】
2018037814.tif 000007
【図６】
2018037814.tif 000008
【図７】
2018037814.tif 000009
【図８】
2018037814.tif 000010